Podtech/llm-jp-corpus-v4-ja_patent huggingface dataset:
【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
車両であって、
前記車両のエンジンルーム内に設置される燃料電池と、
前記燃料電池への供給気体を加湿する加湿器であって前記車両の床下に設置される加湿器と、
前記燃料電池と前記加湿器とを接続し、前記供給気体の通路となる給気配管と、
を備え、
前記給気配管には、水を溜める水溜まりトラップが設けられることを特徴とする車両。
【請求項２】
請求項１に記載の車両において、
前記給気配管の前記燃料電池側の端部は、前記給気配管の前記加湿器側の端部に対して上方に配置されることを特徴とする車両。
【請求項３】
請求項１又は２に記載の車両において、
前記燃料電池と前記加湿器とを接続し、前記燃料電池からの排出気体を前記加湿器に送る第１の排気配管と、
前記加湿器から排出される気体を前記車両の外部へ導く第２の排気配管と、
をさらに備え、
前記加湿器は、前記燃料電池からの前記排出気体中の水分を前記燃料電池への前記供給気体の加湿に利用し、
前記第１の排気配管及び前記第２の排気配管の少なくとも一方には、水を溜める水溜まりトラップが設けられることを特徴とする車両。
【請求項４】
請求項３に記載の車両において、
前記第１の排気配管の前記燃料電池側の端部は、前記第１の排気配管の前記加湿器側の端部に対して上方に配置されることを特徴とする車両。
【請求項５】
請求項１から４のいずれか１項に記載の車両において、
前記水溜まりトラップは、配管において、前後の部分に対して鉛直下方に湾曲された部分を有することを特徴とする車両。
【請求項６】
請求項５に記載の車両において、
前記水溜まりトラップは、鉛直方向だけでなく、水平方向においても、湾曲されて設けられることを特徴とする車両。
【請求項７】
請求項５又は６に記載の車両において、
前記水溜まりトラップは、配管において前記鉛直下方に湾曲された部分に溜まる水の最高水面と、配管における当該湾曲された部分の内壁の上部と、の間に間隙ができるように設けられることを特徴とする車両。
【手続補正２】
【補正対象書類名】明細書
【補正対象項目名】発明の名称
【補正方法】変更
【補正の内容】
【発明の名称】燃料電池を備える車両
【手続補正３】
【補正対象書類名】明細書
【補正対象項目名】０００１
【補正方法】変更
【補正の内容】
【０００１】
本発明は、燃料電池を備える車両に関し、特に、燃料電池への供給気体を加湿する加湿器に接続された配管の構造に関する。
【手続補正４】
【補正対象書類名】明細書
【補正対象項目名】００１１
【補正方法】変更
【補正の内容】
【００１１】
本発明の１つの目的は、配管内に生じる結露水が凍結することによって起きる問題を回避できるような車両を提供することである。本発明の他の１つの目的は、加湿器の加湿膜の耐用期間を長くすることができるような車両を提供することである。以下の手段は、これらの目的の少なくとも１つに貢献するものである。
【手続補正５】
【補正対象書類名】明細書
【補正対象項目名】００１２
【補正方法】変更
【補正の内容】
【００１２】
本発明に係る車両は、前記車両のエンジンルーム内に設置される燃料電池と、前記燃料電池への供給気体を加湿する加湿器であって前記車両の床下に設置される加湿器と、前記燃料電池と前記加湿器とを接続し、前記供給気体の通路となる給気配管と、を備え、前記給気配管には、水を溜める水溜まりトラップが設けられることを特徴とする。また、前記給気配管の前記燃料電池側の端部は、前記給気配管の前記加湿器側の端部に対して上方に配置されることが好ましい。
【手続補正６】
【補正対象書類名】明細書
【補正対象項目名】００１３
【補正方法】変更
【補正の内容】
【００１３】
また、本発明に係る車両において、前記燃料電池と前記加湿器とを接続し、前記燃料電池からの排出気体を前記加湿器に送る第１の排気配管と、前記加湿器から排出される気体を前記車両の外部へ導く第２の排気配管と、をさらに備え、前記加湿器は、前記燃料電池からの前記排出気体中の水分を前記燃料電池への前記供給気体の加湿に利用し、前記第１の排気配管及び前記第２の排気配管の少なくとも一方には、水を溜める水溜まりトラップが設けられることが好ましい。また、前記第１の排気配管の前記燃料電池側の端部は、前記第１の排気配管の前記加湿器側の端部に対して上方に配置されることが好ましい。
【手続補正７】
【補正対象書類名】明細書
【補正対象項目名】００１４
【補正方法】変更
【補正の内容】
【００１４】
また、前記水溜まりトラップは、配管において、前後の部分に対して鉛直下方に湾曲された部分を有することが好ましい。また、前記水溜まりトラップは、鉛直方向だけでなく、水平方向においても、湾曲されて設けられることが好ましい。また、前記水溜まりトラップは、配管において前記鉛直下方に湾曲された部分に溜まる水の最高水面と、配管における当該湾曲された部分の内壁の上部と、の間に間隙ができるように設けられることが好ましい。
【手続補正８】
【補正対象書類名】明細書
【補正対象項目名】００１５
【補正方法】変更
【補正の内容】
【００１５】
本発明によれば、配管内に生じる結露水が凍結することによって起きる問題を回避できるような車両を提供することができる。
【手続補正書】
【提出日】平成21年1月20日(2009.1.20)
【手続補正１】
【補正対象書類名】特許請求の範囲
【補正対象項目名】全文
【補正方法】変更
【補正の内容】
【特許請求の範囲】
【請求項１】
筐体と、
前記筐体に関連して設けられる燃料電池の電極構造体とを含み、
前記筐体の状態の変化によって前記電極構造体への燃料及び酸素の供給を制御する、燃料電池。
【請求項２】
前記筐体は、第１及び第２の状態の間で互いに変位可能となるように組合された第１及び第２の筐体を含み、前記第１の状態と第２の状態とによって、前記電極構造体への燃料及び空気の供給を制御する、請求項１に記載の燃料電池。
【請求項３】
前記電極構造体は、
表面及び裏面を有する電解質層と、
前記電解質層の前記表面に形成された空気極と、
前記電解質層の前記裏面に形成された燃料極とを含み、
前記第１の筐体は開口部を有し、
前記電極構造体は、前記第１の筐体の前記開口部側に前記空気極が位置するように前記第１の筐体内に取付けられており、
前記第１及び第２の筐体は、前記第１の状態では前記開口部が前記第２の筐体によって閉じられ、前記第２の状態では前記開口部が開放されるように組み合わされている、請求項２に記載の燃料電池。
【請求項４】
前記第２の筐体には、前記第２の状態においては前記第１の筐体の前記開口部を外部に連通させ、前記第１の状態においては前記第１の筐体によって閉じられる開口部が形成されている、請求項３に記載の燃料電池。
【請求項５】
前記第２の筐体には、前記開口部が２箇所形成されており、いずれも、前記第２の状態においては前記第１の筐体の前記開口部を外部に連通させ、前記第１の状態においては前記第１の筐体によって閉じられる、請求項４に記載の燃料電池。
【請求項６】
前記第２の筐体の内部で、かつ前記第１の筐体の外部に、前記第１の筐体内部に連通して設けられ、前記第１の状態のときには第１の容積となり、前記第２の状態のときには前記第１の容積よりも小さな第２の容積となる、燃料をその容積に応じて貯留及び放出可能な燃料貯留部をさらに含む、請求項５に記載の燃料電池。
【請求項７】
請求項４〜請求項６のいずれかに記載の燃料電池と、
前記第２の筐体の前記開口部を通る、前記第２の筐体の内部から外部への空気の流路に配置され、前記燃料電池により供給される電力により動作する電子機器とを含む、燃料電池搭載機器。
【手続補正書】
【提出日】平成21年5月25日(2009.5.25)
【手続補正１】
【補正対象書類名】特許請求の範囲
【補正対象項目名】全文
【補正方法】変更
【補正の内容】
【特許請求の範囲】
【請求項１】
有機ＥＬ素子を含む複数の画素が配列され、
前記複数の画素の各々は、カソード電極とアノード電極の間に発光層を配置した有機ＥＬ素子と、信号線及び走査線に接続された画素選択トランジスタと、動作トランジスタと、前記動作トランジスタのゲート電位を保持するための保持容量とを含み、
前記動作トランジスタは、ゲートが前記保持容量及び前記画素選択トランジスタに接続され、ソース及びドレインの一方が前記電圧供給線に、他方が前記有機ＥＬ素子にそれぞれ接続され、
前記複数の画素から成る表示領域の外周に、前記走査線に接続されたゲート線駆動回路と、前記信号線に接続された信号線駆動回路とを備えた有機ＥＬ表示装置の製造方法であって、
前記複数の画素のうち、前記カソード電極と前記アノード電極間がショートした欠陥部を有する欠陥画素の位置を検知する欠陥画素検知工程と、
検知された前記欠陥画素に対して選択的に前記カソード電極と前記アノード電極間に電圧を印加して前記欠陥部をオープン破壊させるリペア工程と、
を含むことを特徴とする有機ＥＬ表示装置の製造方法。
【請求項２】
前記欠陥画素検知工程は、前記有機ＥＬ表示装置を全面点灯させる工程と、全面点灯させた前記有機ＥＬ表示装置の全ての画素のうち前記欠陥画素に対応する滅点画素を光学顕微鏡で捉えてその画素の位置を検知する工程であることを特徴とする請求項１に記載の有機ＥＬ表示装置の製造方法。
【請求項３】
前記欠陥画素検知工程は、全ての画素の前記動作トランジスタをオフ状態にした後、前記動作トランジスタを前記走査線ごとに順次オン状態にして、前記カソード電極と前記アノード電極間に流れる電流を前記信号線にスイッチを介して接続された電流測定回路で測定することにより、前記画素の欠陥を判定する工程であることを特徴とする請求項１に記載の有機ＥＬ表示装置の製造方法。
【請求項４】
前記欠陥画素検知工程と前記リペア工程とを前記欠陥画素がなくなるまで繰り返し実施することを特徴とする請求項１ないし３のいずれか１項に記載の有機ＥＬ表示装置の製造方法。
【請求項５】
有機ＥＬ素子を含む複数の画素が配列され、
前記複数の画素の各々は、カソード電極とアノード電極の間に発光層を配置した有機ＥＬ素子と、信号線及び走査線に接続された画素選択トランジスタと、動作トランジスタと、前記動作トランジスタのゲート電位を保持するための保持容量とを含み、
前記動作トランジスタは、ゲートが前記保持容量及び前記画素選択トランジスタに接続され、ソース及びドレインの一方が前記電圧供給線に、他方が前記有機ＥＬ素子にそれぞれ接続されており、
前記複数の画素から成る表示領域の外周に、前記走査線に接続されたゲート線駆動回路と、前記信号線に接続された信号線駆動回路とを備えた有機ＥＬ表示装置であって、
前記信号線にスイッチを介して接続され、全ての画素の前記動作トランジスタをオフ状態にした後、前記動作トランジスタを順次オン状態にして、前記信号線に流れる電流を測定する電流測定回路と、
前記電流測定回路で測定した電流によって前記画素の欠陥の有無を判定し、欠陥のある画素に選択的に前記アノード電極と前記カソード電極の間をオープン破壊させる電圧を印加する回路と
を備えることを特徴とする有機ＥＬ表示装置。
【手続補正２】
【補正対象書類名】明細書
【補正対象項目名】発明の名称
【補正方法】変更
【補正の内容】
【発明の名称】有機ＥＬ表示装置およびその製造方法
【手続補正３】
【補正対象書類名】明細書
【補正対象項目名】００１３
【補正方法】変更
【補正の内容】
【００１３】
上記目的を達成するため、本発明に係る有機ＥＬ表示装置の製造方法は、
有機ＥＬ素子を含む複数の画素が配列され、
前記複数の画素の各々は、カソード電極とアノード電極の間に発光層を配置した有機ＥＬ素子と、信号線及び走査線に接続された画素選択トランジスタと、動作トランジスタと、前記動作トランジスタのゲート電位を保持するための保持容量とを含み、
前記動作トランジスタは、ゲートが前記保持容量及び前記画素選択トランジスタに接続され、ソース及びドレインの一方が前記電圧供給線に、他方が前記有機ＥＬ素子にそれぞれ接続され、
前記複数の画素から成る表示領域の外周に、前記走査線に接続されたゲート線駆動回路と、前記信号線に接続された信号線駆動回路とを備えた有機ＥＬ表示装置の製造方法であって、
前記複数の画素のうち、前記カソード電極と前記アノード電極間がショートした欠陥部を有する欠陥画素の位置を検知する欠陥画素検知工程と、
検知された前記欠陥画素に対して選択的に前記カソード電極と前記アノード電極間に電圧を印加して前記欠陥部をオープン破壊させるリペア工程と、
を含むことを特徴とする。
【手続補正４】
【補正対象書類名】明細書
【補正対象項目名】００１４
【補正方法】変更
【補正の内容】
【００１４】
本発明に係る有機ＥＬ表示装置は、
有機ＥＬ素子を含む複数の画素が配列され、
前記複数の画素の各々は、カソード電極とアノード電極の間に発光層を配置した有機ＥＬ素子と、信号線及び走査線に接続された画素選択トランジスタと、動作トランジスタと、前記動作トランジスタのゲート電位を保持するための保持容量とを含み、
前記動作トランジスタは、ゲートが前記保持容量及び前記画素選択トランジスタに接続され、ソース及びドレインの一方が前記電圧供給線に、他方が前記有機ＥＬ素子にそれぞれ接続されており、
前記複数の画素から成る表示領域の外周に、前記走査線に接続されたゲート線駆動回路と、前記信号線に接続された信号線駆動回路とを備えた有機ＥＬ表示装置であって、
前記信号線にスイッチを介して接続され、全ての画素の前記動作トランジスタをオフ状態にした後、前記動作トランジスタを順次オン状態にして、前記信号線に流れる電流を測定する電流測定回路と、
前記電流測定回路で測定した電流によって前記画素の欠陥の有無を判定し、欠陥のある画素に選択的に前記アノード電極と前記カソード電極の間をオープン破壊させる電圧を印加する回路と
を備えることを特徴とする。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
ユーザからの低温対策要求の入力時に低温対策用の制御が行われる燃料電池システムであって、
システムの起動命令が入力されてから停止命令が入力されるまでの間に該システムが設定条件を満たすか否かを判断する判断手段と、
前記設定条件を満たす場合には、該システムの起動命令が入力されてから停止命令が入力されるまでの期間にユーザに対して低温対策要求の入力を促す報知手段と
を具備することを特徴とする燃料電池システム。
【請求項２】
前記判断手段は、前記判断を所定時間間隔で繰り返し実行することを特徴とする請求項１に記載の燃料電池システム。
【請求項３】
前記設定条件は、当該システムに関わる温度条件であることを特徴とする請求項１または２に記載の燃料電池システム。
【請求項４】
前記システムに関わる温度条件は、当該システムの外気温度、または当該システムの部品温度の少なくともいずれか一方に関わる温度条件であることを特徴とする請求項３に記載の燃料電池システム。
【請求項５】
低温対策用の制御が行われる燃料電池システムであって、
システムの起動命令が入力されてから停止命令が入力されるまでの間に該システムに関わる温度が第１の設定条件を満たすか否かを判断する第１判断手段と、
前記第１の設定条件を満たす場合に該システムに関わる温度の経時変化が第２の設定条件を満たすか否かを判断する第２判断手段と、
前記第２の設定条件を満たす場合に低温対策用の制御を行う制御手段と
を具備することを特徴とする燃料電池システム。
【請求項６】
前記システムに関わる温度は、外気温度であり、
前記第１判断手段は、前記外気温度が設定された基準温度を下回っているか否か判断し、
前記第２判断手段は、前記外気温度が設定された前記基準温度を下回っている場合に該外気温度の経時変化が設定されている差分閾値以上であるか否かを判断することを特徴とする請求項５に記載の燃料電池システム。
【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
燃料と空気との混合ガスが流入するセル収容空間内に、それぞれが固体酸化物基板と、該基板の一方の面に形成されたカソード電極と、他方の面に形成されたアノード電極とから成る平板形状のセルを複数平行に配置し、セルとセルの間隔が前記混合ガスに対して消炎距離以下となるように構成され、
前記混合ガスは前記間隙を流れ、前記収容空間の前記混合ガスの流れの下流部において前記混合ガスが燃焼されて発電することを特徴とするシングルチャンバー型の固体酸化物型燃料電池。
【請求項２】
前記複数のセルは、相互に同種電極を向け合って配置されていることを特徴とする請求項１記載の固体酸化物型燃料電池。
【請求項３】
前記セルを収容する、断熱材から構成される内部容器と、更に前記内部容器を収容し、断熱材から構成される外部容器を有し、内部容器と外部容器の間に排気ガスを排出するための間隙を設けたことを特徴とする請求項１又は２に記載の固体酸化物型燃料電池。
【請求項４】
前記セルを収容する内部容器の内壁に高熱伝道率材料層が形成されていることを特徴とする請求項３に記載の固体酸化物型燃料電池。
【請求項５】
前記複数のセルは、隣り合うセルの異種の電極同士が電気的に接続され、全体としてセルが直列接続されていることを特徴とする請求項１ないし４の何れか一項に記載の固体酸化物型燃料電池。
【請求項６】
前記複数のセルは、隣り合うセルの同種の電極同士が電気的に接続され、全体としてセルが並列接続されていることを特徴とする請求項１ないし４の何れか一項に記載の固体酸化物型燃料電池。
【請求項７】
前記複数のセルは、隣り合うセルの同種の電極同士の電気的接続の組を直列に接続することを特徴とする請求項１ないし４の何れか一項に記載の固体酸化物型燃料電池。
【請求項８】
前記複数のセルは、隣り合うセルの異種の電極同士の電気的接続の組を並列に接続することを特徴とする請求項１ないし４の何れか一項に記載の固体酸化物型燃料電池。
【手続補正２】
【補正対象書類名】明細書
【補正対象項目名】００２４
【補正方法】変更
【補正の内容】
【００２４】
本発明は、同種電極を対向させる構造にすること、両電極間に間隙を設け、間隙を所定範囲にすること、及び、熱を逃がさない構成にして、発電出力を高めたものである。即ち、
本発明の第１の態様は、燃料と空気との混合ガスが流入するセル収容空間内に、それぞれが固体酸化物基板と、該基板の一方の面に形成したカソード電極と、他方の面に形成したアノード電極とから成る平板形状のセルを複数平行に配置し、セルとセルの間隔が前記混合ガスに対して消炎距離以下となるように構成され、前記混合ガスは前記間隙を流れ、前記収容空間の前記混合ガスの流れの下流部において前記混合ガスが燃焼されて発電することを特徴とするシングルチャンバー型の固体酸化物型燃料電池である。
本発明の第２態様は、前記複数のセルが相互に同種電極を向け合って配置されていることを特徴とする第１の態様の固体酸化物型燃料電池である。
本発明の第３の態様は、前記セルを収容する、断熱材から構成される内部容器と、更に前記内部容器を収容し、断熱材から構成される外部容器を有し、内部容器と外部容器の間に排気ガスを排出するための間隙を設けたことを特徴とする第１又は第２の態様の固体酸化物型燃料電池である。
本発明の第４の態様は、前記セルを収容する内部容器の内壁に高熱伝道率材料層が形成されていることを特徴とする第３の態様の固体酸化物型燃料電池である。
本発明の第５の態様は、前記複数のセルが隣り合うセルの異種の電極同士が電気的に接続され、全体としてセルが直列接続されていることを特徴とする第１ないし４の態様の固体酸化物型燃料電池である。
本発明の第６の態様は、前記複数のセルが隣り合うセルの同種の電極同士が電気的に接続され、全体としてセルが並列接続されていることを特徴とする第１ないし４の態様の固体酸化物型燃料電池である。
本発明の第７の態様は、前記複数のセルが隣り合うセルの同種の電極同士の電気的接続の組を直列に接続することを特徴とする請求項１ないし４の何れか一項に記載の固体酸化物型燃料電池である。
本発明の第８の態様は、前記複数のセルが隣り合うセルの異種の電極同士の電気的接続の組を並列に接続することを特徴とする第１ないし４の態様の固体酸化物型燃料電池である。
【手続補正書】
【提出日】平成21年5月15日(2009.5.15)
【手続補正１】
【補正対象書類名】特許請求の範囲
【補正対象項目名】全文
【補正方法】変更
【補正の内容】
【特許請求の範囲】
【請求項１】
表示言語を特定する特定手段と、
前記特定手段により特定された表示言語に応じて当該表示言語に係るオブジェクトを表示する際の左右の向き、又は左右の表示位置、又は左右の進行方向を変更するか否かを判別するための判別用情報を表示するオブジェクトごとに管理する管理手段と、
前記特定手段により特定されている前記表示言語、及び前記管理手段により管理されている前記判別用情報に基づいて、表示対象のオブジェクトについて、左右の向き、又は左右の表示位置、又は左右の進行方向を決定する決定手段と、
を有することを特徴とする表示制御装置。
【請求項２】
前記特定手段、管理手段、及び決定手段は、前記アプリケーション上に構築されていることを特徴とする請求項１に記載の表示制御装置。
【請求項３】
前記特定手段、管理手段、及び決定手段は、前記アプリケーションの実行を管理するオペレーティングシステム上に構築されていることを特徴とする請求項１に記載の表示制御装置。
【請求項４】
方向を示すオブジェクトについては、左右の向きが１方向だけの１つのオブジェクトを記憶する第１の記憶手段を有し、当該オブジェクトについて前記決定手段により前記第１の記憶手段にて記憶されている方向とは逆向きの方向が決定された場合に、当該第１の記憶手段に記憶されている当該オブジェクトを読み出して左右反転させて表示させる第１の表示制御手段を有することを特徴とする請求項１に記載の表示制御装置。
【請求項５】
方向を示すオブジェクトについては、左右の向きがそれぞれ左方向、右方向の２つのオブジェクトを記憶する第２の記憶手段を有し、当該オブジェクトについて前記決定手段により決定された方向のオブジェクトを前記第２の記憶手段から読出して表示させる第２の表示制御手段を有することを特徴とする請求項１に記載の表示制御装置。
【請求項６】
表示言語を特定する特定工程と、
前記特定工程により特定された表示言語に応じて当該表示言語に係るオブジェクトを表示する際の左右の向き、又は左右の表示位置、又は左右の進行方向を変更するか否かを判別するための判別用情報を表示するオブジェクトごとに管理する管理工程と、
前記特定工程により特定されている前記表示言語、及び前記管理工程により管理されている前記判別用情報に基づいて、表示対象のオブジェクトについて、左右の向き、又は左右の表示位置、又は左右の進行方向を決定する決定工程と、
を有することを特徴とする表示制御方法。
【手続補正書】
【提出日】平成21年1月7日(2009.1.7)
【手続補正１】
【補正対象書類名】特許請求の範囲
【補正対象項目名】請求項９
【補正方法】変更
【補正の内容】
【請求項９】
前記電源モジュールは、異なる経路によって独立に電力を供給可能な二以上の電源系統を備え、
前記管理モジュールは、
前記論理装置を構成する処理モジュールと前記論理装置に電力を供給する電源系統の識別子と前記論理装置との対応を示す装置構成管理情報を保持するステップと、
前記処理モジュールを前記第２の電力量によって動作させるための動作条件を含む電力制御パラメータと前記第２の電力量との対応を示す電力条件管理情報を保持するステップと、
前記電力条件管理情報を参照して、前記決定された第２の電力量によって前記処理モジュールを動作させるための電力制御パラメータを特定するステップと、
前記処理モジュールに前記特定された電力制御パラメータを設定するステップと、
前記論理装置に割り当てられた電源系統に属する電源モジュールに前記処理モジュールへの電力の供給を開始させ、前記設定された電力制御パラメータに従って前記処理モジュールを起動させるステップと、をさらに含むことを特徴とする請求項１に記載の電力管理方法。
【手続補正２】
【補正対象書類名】特許請求の範囲
【補正対象項目名】請求項１３
【補正方法】変更
【補正の内容】
【請求項１３】
前記管理モジュールは、
前記処理モジュールを前記第２の電力量によって動作させるための動作条件を含む電力制御パラメータと前記第２の電力量との対応を示す電力条件管理情報を保持し、
前記電力条件管理情報を参照して、前記決定された第２の電力量によって前記処理モジュールを動作させるための電力制御パラメータを特定し、
前記処理モジュールに、前記特定された電力制御パラメータを設定し、
前記電源モジュールに前記処理モジュールへの電力の供給を開始させ、前記設定された電力制御パラメータに従って前記処理モジュールを起動させることを特徴とする請求項１２記載の情報プラットフォーム装置。
【手続補正３】
【補正対象書類名】特許請求の範囲
【補正対象項目名】請求項１８
【補正方法】変更
【補正の内容】
【請求項１８】
前記電源モジュールは、異なる経路によって独立に電力を供給可能な二以上の電源系統を備え、
前記管理モジュールは、
前記論理装置を構成する前記処理モジュールと前記論理装置に電力を供給する電源系統の識別子と前記論理装置との対応を示す装置構成管理情報を保持し、
前記処理モジュールを前記第２の電力量によって動作させるための動作条件を含む電力制御パラメータと前記第２の電力量との対応を示す電力条件管理情報を保持し、
前記電力条件管理情報を参照して、前記決定された第２の電力量によって前記処理モジュールを動作させるための電力制御パラメータを特定し、
前記処理モジュールに前記特定された電力制御パラメータを設定し、
前記論理装置に割り当てられた電源系統に属する電源モジュールに前記処理モジュールへの電力の供給を開始させ、前記設定された電力制御パラメータに従って前記処理モジュールを起動させることを特徴とする請求項１２に記載の情報プラットフォーム装置。
【手続補正４】
【補正対象書類名】特許請求の範囲
【補正対象項目名】請求項２１
【補正方法】変更
【補正の内容】
【請求項２１】
前記情報プラットフォーム装置はストレージ装置を備え、前記管理モジュールはメモリを備え、
前記管理モジュールは、前記装置構成情報、前記電力量管理情報、及び前記電力条件管理情報を前記メモリに格納し、所定の時間毎に、前記メモリに格納された前記装置構成管理情報、前記電力量管理情報、及び前記電力条件管理情報を、前記ストレージに格納することを特徴とする請求項１２記載の情報プラットフォーム装置。
【手続補正５】
【補正対象書類名】特許請求の範囲
【補正対象項目名】請求項２２
【補正方法】変更
【補正の内容】
【請求項２２】
前記管理モジュールは、前記電力量管理情報及び前記電力条件管理情報のエントリを新たに登録し、前記電力量管理情報及び前記電力条件管理情報のエントリを削除することを特徴とする請求項１３記載の情報プラットフォーム装置。
【手続補正６】
【補正対象書類名】明細書
【補正対象項目名】０００９
【補正方法】変更
【補正の内容】
【０００９】
また、ブレード型アーキテクチャ内のブレードの動作電圧を管理する方法が開示されている。第１のブレードを第１の電圧レベルで動作させる。その場合、第１のブレードは、第１の電力配分を必要とするアプリケーションをホストし、また第１の電力配分に基づいて、ブレード型アーキテクチャ・システムの熱・電力量（budget、バジェット）の一部を消費する。第２のブレードを第２の電圧レベルで動作させる場合、第２のブレードは、第２の電力配分を必要とするアプリケーションをホストし、また、第２のブレードは、第２の電力配分に基づいて、ブレード型アーキテクチャ・システムの熱・電力量の一部を消費する。この電力・熱全体量は、第１の電圧レベルと第２の電圧レベルの少なくとも１つを調整することにより、維持される（特許文献３参照）。
【特許文献１】特開２００４−１７８５９８号公報
【特許文献２】特開２００５−２０２５０６号公報
【特許文献３】特開２００４−０７８９３５号公報
【手続補正書】
【提出日】平成21年4月8日(2009.4.8)
【手続補正１】
【補正対象書類名】特許請求の範囲
【補正対象項目名】全文
【補正方法】変更
【補正の内容】
【特許請求の範囲】
【請求項１】
酸化膜及び該酸化膜上に形成されたレジスト膜を有する基板を収容する収容室と、該収容室内に配置され且つ前記収容室内の空間に晒される暴露部材とを備え、前記収容室内に生成されたプラズマによって前記基板にプラズマ処理を施す基板処理装置であって、前記暴露部材の少なくとも一部がシリコン含有材からなる基板処理装置におけるエッチング方法であって、
前記暴露部材をプラズマによってスパッタリングすることにより前記レジスト膜上にシリコン含有膜を形成するスパッタリングステップと、
前記レジスト膜及び前記シリコン含有膜をエッチングマスクとして用いて、前記酸化膜をプラズマによってエッチングする酸化膜エッチングステップと、を有することを特徴とするエッチング方法。
【請求項２】
前記基板は前記酸化膜及び前記レジスト膜の間に形成された反射防止膜を有し、
前記スパッタリングステップに先立って前記反射防止膜をエッチングする反射防止膜エッチングステップを有することを特徴とする請求項１記載のエッチング方法。
【請求項３】
前記暴露部材には高周波電力が供給されることを特徴とする請求項１又は２記載のエッチング方法。
【請求項４】
前記スパッタリングステップでは、希ガス又は不活性ガスから生成されたプラズマを用いることを特徴とする請求項１乃至３のいずれか１項に記載のエッチング方法。
【請求項５】
前記基板処理装置は前記収容室内に配置され且つ前記基板を載置する載置台を備え、前記暴露部材は前記載置台に対向して配置されている電極板であることを特徴とする請求項１乃至４のいずれか1項に記載のエッチング方法。
【請求項６】
前記載置台には高周波電力が供給され、前記電極板に供給される高周波電力は前記載置台に供給される高周波電力より大きいことを特徴とする請求項５記載のエッチング方法。
【請求項７】
酸化膜及び該酸化膜上に形成されたレジスト膜を有する基板を収容する収容室と、該収容室内に配置され且つ前記収容室内の空間に晒される暴露部材とを備え、前記収容室内に生成されたプラズマによって前記基板にプラズマ処理を施す基板処理装置であって、前記暴露部材の少なくとも一部がシリコン含有材からなる基板処理装置におけるエッチング方法を実行するためのプログラムを格納したコンピュータ読み取り可能な記録媒体であって、
前記エッチング方法は、
前記暴露部材をプラズマによってスパッタリングすることにより前記レジスト膜上にシリコン含有膜を形成するスパッタリングステップと、
前記レジスト膜及び前記シリコン含有膜をエッチングマスクとして用いて、前記酸化膜をプラズマによってエッチングする酸化膜エッチングステップと、を有することを特徴とするコンピュータ読み取り可能な記録媒体。
【手続補正２】
【補正対象書類名】明細書
【補正対象項目名】発明の名称
【補正方法】変更
【補正の内容】
【発明の名称】エッチング方法及びコンピュータ読み取り可能な記録媒体
【手続補正３】
【補正対象書類名】明細書
【補正対象項目名】０００１
【補正方法】変更
【補正の内容】
【０００１】
本発明は、エッチング方法及びコンピュータ読み取り可能な記録媒体に関し、特に、レジスト膜をマスクとしてプラズマによって酸化膜をエッチングするエッチング方法と、このエッチング方法を実行するためのプログラムを格納したコンピュータ読み取り可能な記録媒体に関する。
【手続補正４】
【補正対象書類名】明細書
【補正対象項目名】０００６
【補正方法】変更
【補正の内容】
【０００６】
本発明の目的は、所望のエッチング形状を簡便に得ることができるエッチング方法、このエッチング方法を実行するためのプログラムを格納したコンピュータ読み取り可能な記録媒体を提供することにある。
【手続補正５】
【補正対象書類名】明細書
【補正対象項目名】０００７
【補正方法】変更
【補正の内容】
【０００７】
上記目的を達成するために、請求項１記載のエッチング方法は、酸化膜及び該酸化膜上に形成されたレジスト膜を有する基板を収容する収容室と、該収容室内に配置され且つ前記収容室内の空間に晒される暴露部材とを備え、前記収容室内に生成されたプラズマによって前記基板にプラズマ処理を施す基板処理装置であって、前記暴露部材の少なくとも一部がシリコン含有材からなる基板処理装置におけるエッチング方法であって、前記暴露部材をプラズマによってスパッタリングすることにより前記レジスト膜上にシリコン含有膜を形成するスパッタリングステップと、前記レジスト膜及び前記シリコン含有膜をエッチングマスクとして用いて、前記酸化膜をプラズマによってエッチングする酸化膜エッチングステップと、を有することを特徴とする。
請求項７記載のコンピュータ読み取り可能な記録媒体は、酸化膜及び該酸化膜上に形成されたレジスト膜を有する基板を収容する収容室と、該収容室内に配置され且つ前記収容室内の空間に晒される暴露部材とを備え、前記収容室内に生成されたプラズマによって前記基板にプラズマ処理を施す基板処理装置であって、前記暴露部材の少なくとも一部がシリコン含有材からなる基板処理装置におけるエッチング方法を実行するためのプログラムを格納したコンピュータ読み取り可能な記録媒体であって、前記エッチング方法は、前記暴露部材をプラズマによってスパッタリングすることにより前記レジスト膜上にシリコン含有膜を形成するスパッタリングステップと、前記レジスト膜及び前記シリコン含有膜をエッチングマスクとして用いて、前記酸化膜をプラズマによってエッチングする酸化膜エッチングステップと、を有することを特徴とする。
【手続補正６】
【補正対象書類名】明細書
【補正対象項目名】００１３
【補正方法】変更
【補正の内容】
【００１３】
請求項１記載のエッチング方法及び請求項７記載のコンピュータ読み取り可能な記録媒体によれば、少なくとも一部がシリコン含有材からなる暴露部材をプラズマによってスパッタリングし、酸化膜をプラズマによってエッチングする。暴露部材をスパッタリングするとシリコン元素が放出され、該放出されたシリコン元素は基板のレジスト膜上に堆積してシリコン含有膜を形成する。シリコン含有膜は酸化膜をエッチングするためのプラズマに対する耐性を有する。したがって、簡便にレジスト膜を強化することができ、酸化膜をエッチングする際、所望のエッチング形状を簡便に得ることができる。
【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
音発生手段と、遊技状態に応じた音制御信号を出力する制御手段と、前記制御手段から出力される音制御信号に基づいて、前記音発生手段を駆動するための音駆動信号を出力する音駆動手段を備える遊技機であって、
操作部の操作量に応じたレベルを有する設定信号を出力する設定信号出力手段と、
前記設定信号出力手段から出力される設定信号のレベルと基準値とを比較し、比較結果に応じた音量レベルを示す音量設定信号を出力する音量レベル判定手段を有し、
前記音駆動手段は、前記音量レベル判定手段から出力される音量設定信号で示される音量レベルに応じたレベルの音駆動信号を出力し、
前記音量レベル判定手段は、前記設定信号のレベルが増加する時と減少する時で異なる基準値を用いることを特徴とする遊技機。
【請求項２】
請求項１に記載の遊技機であって、
前記設定信号出力手段は、操作部の操作量に応じて最小抵抗値と最大抵抗値の間で抵抗値が変化する可変抵抗器を有し、前記可変抵抗器の抵抗値に応じたレベルを有する設定信号を出力し、
前記音量レベル判定手段は、前記比較結果に応じて、最小音量レベルと最大音量レベルの間の複数の音量レベルのいずれかを示す音量設定信号を出力し、
前記音駆動手段は、前記音発生手段から最小音量の音を発生させるレベルと最大音量の音を発生させるレベルの間の複数のレベルの中から、前記音量設定信号で示される音量レベルに応じて設定されたレベルを有する音駆動信号を出力することを特徴とする遊技機。
【請求項３】
請求項２に記載の遊技機であって、前記可変抵抗器として回動式可変抵抗器を用いていることを特徴とする遊技機。
【手続補正２】
【補正対象書類名】明細書
【補正対象項目名】０００４
【補正方法】変更
【補正の内容】
【０００４】
第１発明は、請求項１に記載された構成を備える遊技機である。
請求項１の遊技機は、
音発生手段と、遊技状態に応じた音制御信号を出力する制御手段と、前記制御手段から出力される音制御信号に基づいて、前記音発生手段を駆動するための音駆動信号を出力する音駆動手段を備える遊技機であって、
操作部の操作量に応じたレベルを有する設定信号を出力する設定信号出力手段と、
前記設定信号出力手段から出力される設定信号のレベルと基準値とを比較し、比較結果に応じた音量レベルを示す音量設定信号を出力する音量レベル判定手段を有し、
前記音駆動手段は、前記音量レベル判定手段から出力される音量設定信号で示される音量レベルに応じたレベルの音駆動信号を出力し、
前記音量レベル判定手段は、前記設定信号のレベルが増加する時と減少する時で異なる基準値を用いることを特徴とする。
制御手段としては、例えば、遊技機に設けられている主制御手段から出力される主コマンド信号を入力する副制御手段や音制御手段を用いることができる。
音量レベル判定手段の音量レベル判定処理は、制御手段が行ってもよい。
音駆動手段としては、例えば、音制御信号に対応する音駆動信号を記憶する記憶手段を有する音源ＩＣを用いることができる。
「設定信号のレベルが増加する時と減少する時で異なる基準レベルを用いる」という記載は、隣接する２つの音量レベルの一方から他方への切り替えを判定する際、音量レベルが低い方から高い方への切り替えを判定する基準値と、音量レベルが高い方から低い方への切り替えを判定する基準値として異なる基準値を用いることを意味する。なお、音量レベルが低い方から高い方への切り替えを判定する基準値は、音量レベルが高い方から低い方への切り替えを判定する基準値より大きい値に設定するのが好ましい。
第２発明は、請求項２に記載された構成を備える遊技機である。
請求項２に記載の遊技機は、請求項１に記載の遊技機であって、前記設定信号出力手段は、操作部の操作量に応じて最小抵抗値と最大抵抗値の間で抵抗値が変化する可変抵抗器を有し、前記可変抵抗器の抵抗値に応じたレベルを有する設定信号を出力し、前記音量レベル判定手段は、前記比較結果に応じて、最小音量レベルと最大音量レベルの間の複数の音量レベルのいずれかを示す音量設定信号を出力し、前記音駆動手段は、前記音発生手段から最小音量の音を発生させるレベルと最大音量の音を発生させるレベルの間の複数のレベルの中から、前記音量設定信号で示される音量レベルに応じて設定されたレベルを有する音駆動信号を出力することを特徴とする。
可変抵抗器としては、操作部の操作量に応じて抵抗値が連続して変化する可変抵抗器を用いるのが好ましい。可変抵抗器の最小抵抗値や設定信号の最小レベルは「０」であってもよい。この場合には、音量レベル判定手段は、設定信号のレベルが「０」の時に最小音量レベルを示す音量設定信号を出力するように構成する。
第３発明は、請求項３に記載された構成を備える遊技機である。
請求項３に記載の遊技機は、請求項２に記載の遊技機であって、前記可変抵抗器として回動式可変抵抗器を用いていることを特徴とする。
【手続補正３】
【補正対象書類名】明細書
【補正対象項目名】０００５
【補正方法】変更
【補正の内容】
【０００５】
請求項１に記載の遊技機を用いれば、設定信号出力手段から出力される設定信号のレベルが、所望の音量レベルに対応する基準値の間の値となるように操作部を操作すればよいため、操作部の操作が容易である。また、基準値を変更するのみで、音量レベルの段数の設定、さらには、音量レベルに対応する操作部の操作範囲の設定を容易に行うことができる。さらに、設定信号のレベルと基準値との比較結果に基づいて音量レベルを判定する際、設定信号のレベルが増加する時と減少する時で異なる基準値を用いているため、温度や振動等の影響によって音発生手段から発生する音の音量が切り替わるのを、特に、音発生手段から発生する音の音量が頻繁に切り替わるのを防止することができ、音による演出効果を高めることができる。
また、請求項２に記載の遊技機を用いれば、可変抵抗器の可動部を最小抵抗値位置に移動させるのみで最小音量レベルの設定を行うことができ、操作が簡単である。
また、請求項３に記載の遊技機を用いれば、設定信号出力手段の設置スペースが小さくてすみ、操作量の調整も容易である。
【手続補正書】
【提出日】平成21年9月9日(2009.9.9)
【手続補正１】
【補正対象書類名】特許請求の範囲
【補正対象項目名】全文
【補正方法】変更
【補正の内容】
【特許請求の範囲】
【請求項１】
遊技媒体が打ち込まれる遊技領域に配置され、前記遊技媒体が転動可能な転動面を有し、前記転動面から前記遊技媒体が放出されるのを防止する堰部を長手方向に対して直角方向の端部の少なくとも一方に有する該転動面上の前記遊技媒体を所定方向に振り分け可能な長尺状のガイド部材と、  前記ガイド部材の一方の端部近傍に配置され、前記ガイド部材を、前記転動面上の前記遊技媒体が揺動するように、その長手方向の略中央を中心として回動させる回動駆動手段と、前記ガイド部材の回胴駆動手段とは異なる端部近傍に配置され前記ガイド部材の回動状況を検出し、その回動状況に応じて、前記回動駆動手段により前記ガイド部材の回動を変化させて、前記遊技媒体を所定方向に振り分けるための回動状況検出手段と、を具備することを特徴とする遊技機。
【手続補正書】
【提出日】平成21年9月8日(2009.9.8)
【手続補正１】
【補正対象書類名】特許請求の範囲
【補正対象項目名】全文
【補正方法】変更
【補正の内容】
【特許請求の範囲】
【請求項１】
複数の可動体を備え、該可動体が作動する演出を実行したあとには遊技者に有利な状態を付与するよう働きやすい遊技機であって、
複数の演出パターンを記憶する演出パターン記憶手段と、
前記複数の可動体に不具合が生じているか否かを判定する不具合判定手段と、
演出パターンを決定する演出パターン決定手段と、
前記演出パターン記憶手段から少なくとも１つの演出パターンを読み出して該演出パターンを実行する演出パターン実行手段と、
前記演出パターン決定手段により決定された演出パターンを他の演出パターンに替える演出パターン替手段と
を備え、
前記演出パターン実行手段は、前記不具合判定手段により前記複数の可動体に不具合が生じていないと判定されたとき、前記演出パターン決定手段により決定された演出パターンを読み出して該演出パターンを実行する一方、前記複数の可動体に不具合が生じていると判定されたとき、前記演出パターン替手段により替えられた他の演出パターンを読み出して該他の演出パターンを実行することを特徴とする遊技機。
【請求項２】
前記演出パターン替手段は、前記演出パターン決定手段により決定された演出パターンを所定の演出パターンに変更し、該所定の演出パターンを前記他の演出パターンとすることを特徴とする請求項１に記載の遊技機。
【請求項３】
前記演出パターン記憶手段は、前記複数の演出パターンとは別に複数の切替用演出パターンを記憶し、
前記演出パターン替手段は、前記演出パターン決定手段により決定された演出パターンを前記複数の切替用演出パターンのいずれか１つに切り替え、切り替えられた切替用演出パターンを前記他の演出パターンとすることを特徴とする請求項１に記載の遊技機。
【手続補正２】
【補正対象書類名】明細書
【補正対象項目名】０００５
【補正方法】変更
【補正の内容】
【０００５】
請求項１の発明においては、遊技の興趣の低下を抑制することができる。請求項２の発明においては、遊技者は可動体の不具合に違和感を感じない。請求項３の発明においては、遊技者にとっては遊技演出が切り替わることにより見慣れない演出進行となるため、期待を高めることにもつながる。
【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
遊技球が打ち込まれる遊技領域を有する遊技盤と、遊技球を発射する遊技球発射手段と、前記遊技球発射手段から発射された遊技球を前記遊技盤の遊技領域に誘導する誘導通路とを備えた遊技機において、
前記誘導通路は、その途中箇所に、当該誘導通路を戻る遊技球をその誘導通路から遊技領域に排出する戻り球排出口と当該誘導通路を戻る遊技球を前記戻り球排出口へ導く誘導部材とを備え、
前記戻り球排出口から排出された遊技球を前記遊技盤の所定の遊技領域へ誘導可能とする遊技球誘導手段を備えていることを特徴とする遊技機。
【請求項２】
請求項１に記載の遊技機において、
前記所定の遊技領域には、特定遊技状態の場合に遊技球が入球可能な状態となる可変入賞手段が備えられ、
前記遊技球誘導手段は、前記戻り球排出口から排出された遊技球を前記可変入賞手段の方へ誘導するものであることを特徴とする遊技機。
【請求項３】
請求項２に記載の遊技機において、
前記可変入賞手段に遊技球が入球可能な状態である場合に、前記遊技球発射手段から発射された遊技球が、前記誘導通路の出力端から前記戻り球排出口までの間に到達するように前記遊技球発射手段を制御する発射強度制御手段を備えていることを特徴とする遊技機。
【請求項４】
請求項１から３のいずれか一つに記載の遊技機において、
前記戻り球排出口よりも上部の前記誘導通路に配設され、前記遊技球発射手段から発射された遊技球が前記誘導通路の出力端から遊技領域に進入しないように前記誘導通路の出力側を閉鎖する閉鎖状態と、前記遊技球発射手段から発射された遊技球が前記誘導通路の出力端から遊技領域に進入できる状態である開放状態とに可変する可動部材を備え、
前記可動部材を前記閉鎖状態または前記開放状態のいずれにするのかを制御する可動部材制御手段を備えていることを特徴とする遊技機。
【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
遊技用媒体を用いて遊技を行う遊技機において、
当該遊技機についての少なくとも一部の機能を制御する制御手段と、
前記制御手段を被包する被包手段と、
前記制御手段とは別体で、当該制御手段に接続ケーブルを介して電気的に接続される被対象品と、
を備え、
前記制御手段は、前記接続ケーブルの前記制御手段側のコネクタが接続可能な接続部を備え、
前記被包手段は、当該被包手段の内部に収納された状態における前記制御手段の前記接続部に対応する箇所に、前記接続ケーブルの前記制御手段側のコネクタが挿入可能な挿入開口部を備え、
前記制御手段における前記接続部を含む所定領域に取り付けられる部材であって、前記制御手段の前記接続部が挿入可能な開口部を有し、かつ、その開口部に前記接続部を挿入させた状態で当該接続部の外周に当接する当接部が前記開口部に設けられた取付部材を備えている
ことを特徴とする遊技機。
【請求項２】
請求項１に記載の遊技機において、
前記制御手段の前記接続部の外周には所定の周回凹部が形成され、
前記当接部は、前記取付部材から立設された、前記制御手段の前記接続部の外周を囲うような壁部と、前記壁部の内周側に形成された、前記接続部の外周の前記周回凹部に嵌合する周回凸部とを備えている
ことを特徴とする遊技機。
【請求項３】
請求項１に記載の遊技機において、
前記制御手段の前記接続部の外周には所定の周回凸部が形成され、
前記当接部は、前記取付部材から立設された、前記制御手段の前記接続部の外周を囲うような壁部と、前記壁部の内周側に形成された、前記接続部の外周の前記周回凸部に嵌合する周回凹部とを備えている
ことを特徴とする遊技機。
【請求項４】
請求項１に記載の遊技機において、
前記当接部は、前記取付部材から先細りとなるように立設された、前記制御手段の前記接続部の外周を囲うような壁部を備えている
ことを特徴とする遊技機。
【請求項５】
遊技用媒体を用いて遊技を行う遊技機において、
当該遊技機についての少なくとも一部の機能を制御する制御手段と、
前記制御手段を被包する被包手段と、
前記制御手段とは別体で、当該制御手段に接続ケーブルを介して電気的に接続される被対象品と、
を備え、
前記制御手段は、前記接続ケーブルの前記制御手段側のコネクタが接続可能な接続部を備え、
前記被包手段は、当該被包手段の内部に収納された状態における前記制御手段の前記接続部に対応する箇所に、前記接続ケーブルの前記制御手段側のコネクタが挿入可能な挿入開口部を備え、
前記制御手段における前記接続部を含む所定領域に取り付けられる部材であって、前記制御手段の前記接続部が挿入可能な開口部を有する取付部材を備え、
前記取付部材の前記開口部と前記制御手段の前記接続部との間に硬化材料を充填して硬化させている
ことを特徴とする遊技機。
【請求項６】
請求項１から５のいずれか一つに記載の遊技機において、
さらに、前記取付部材は、当該取付部材が取り付けられた前記制御手段が何れの遊技機の種類のものかを識別するための認識情報を視認可能に形成した認識手段を備えている
ことを特徴とする遊技機。
【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
遊技用媒体を用いた遊技を提供する遊技機において、
当該遊技機の遊技についての所定の制御を行う制御手段と、
前記制御手段を被包する被包手段とを備え、
前記制御手段は、電源断前の遊技状態についての所定情報を記憶する記憶手段を備え、
前記被包手段は、その内部に、前記記憶手段の初期化についての報知を行う報知手段と、前記記憶手段が初期化されたときに前記報知手段を報知制御する、前記制御手段とは別体の初期化状態報知制御手段と、を備えたものである
ことを特徴とする遊技機。
【請求項２】
遊技用媒体を用いた遊技を提供する遊技機において、
当該遊技機の遊技についての所定の制御を行う制御手段と、
前記制御手段を被包する被包手段とを備え、
前記制御手段は、電源断前の遊技状態についての所定情報を記憶する記憶手段と、前記記憶手段の初期化についての報知を行う報知手段と、前記記憶手段が初期化されたときに前記報知手段を報知制御する初期化状態報知制御手段と、を備えている
ことを特徴とするものである。
【請求項３】
請求項１または２に記載の遊技機において、
当該遊技機とは別体の情報機器に提供するべき情報であって、前記記憶手段の初期化に関する情報を含む報知情報を決定する報知情報決定手段と、
前記報知情報決定手段で決定された報知情報を、電磁波の信号形態で送信する送信手段と、
を備え、
前記情報機器は、前記送信手段から電磁波の信号形態で送信された報知情報を受信する受信部と、前記受信部での受信データに基づいて報知情報を取り出す解読部とを備えたものである
ことを特徴とする遊技機。
【請求項４】
請求項３に記載の遊技機において、
前記報知手段は、発光により報知する発光報知手段を備えており、
前記発光報知手段は、可視光を出力する発光部を備え、前記発光部の可視光出力により報知するものであり、
前記送信手段は、前記発光部の発光強度を所定の変調パターンで光強度変調制御する変調部を備え、前記報知情報決定手段で決定された報知情報を、所定の変調パターンで可視光を光強度変調した信号形態で送信するものである
ことを特徴とする遊技機。
【請求項５】
請求項４に記載の遊技機において、
前記初期化状態報知制御手段は、
操作者により入力操作を受ける入力操作手段と、
前記入力操作手段に対する入力操作が適正入力操作態様で行われたことを検出する入力操作態様検出手段と、
前記入力操作態様検出手段での検出に基づいて、前記発光報知手段の前記発光部の可視光出力による報知を解除する解除手段と、
を備え、
前記報知情報決定手段は、
前記入力操作手段の適正入力操作態様を示す操作情報を報知情報に含める操作情報加入手段を備えている
ことを特徴とする遊技機。